(57)【要約】      （修正有）【課題】搬送ラインから飼料供給装置への飼料の逆流を防止することができる飼料供給装置を提供する。【解決手段】飼料をコアレスオーガー２２を用いて搬送ラインへ供給するための飼料供給装置１において、互いに対向しかつ下方に向かうにつれて距離が近づく一対の傾斜側壁１１、１２を底部に具備しかつ一対の傾斜側壁の下縁同士の間に前記コアレスオーガーが延在するように配置されるホッパー本体１０と、一方の傾斜側壁１１の上縁に上辺が固定されかつ他方の傾斜側壁１２の面に向かって斜め下方に延在する矩形の逆流防止板３０とを有し、逆流防止板の下辺と他方の傾斜側壁１２との間に所定の間隙が設けられている。逆流防止板は上辺側の主板３１と下辺側の調整板３２とから構成され、間隙の大きさは主板と調整板との傾斜方向における重なりの長さにより調整可能である。【選択図】図１
0003224144.tif 000002
【実用新案登録請求の範囲】
【請求項１】
飼料をコアレスオーガー（２２）を用いて搬送ラインへ供給するための飼料供給装置（１）において、
互いに対向しかつ下方に向かうにつれて距離が近づく一対の傾斜側壁（１１、１２）を底部に具備しかつ前記一対の傾斜側壁（１１、１２）の下縁同士の間に前記コアレスオーガー（２２）が延在するように配置されているホッパー本体（１０）と、
一方の前記傾斜側壁（１１）の上縁（１１ｂ）に上辺が固定されかつ他方の前記傾斜側壁（１２）の面に向かって斜め下方に延在する矩形の逆流防止板（３０）とを有することを特徴とする飼料供給装置。
【請求項２】
前記逆流防止板（３０）の下辺と他方の前記傾斜側壁（１２）との間に所定の間隙（ｄ）が設けられていることを特徴とする請求項１に記載の飼料供給装置。
【請求項３】
前記逆流防止板（３０）が上辺側の主板（３１）と下辺側の調整板（３２）とから構成されかつ前記主板（３１）と前記調整板（３２）が傾斜方向において部分的に重なっていることを特徴とする請求項２に記載の飼料供給装置。
【請求項４】
前記間隙（ｄ）の大きさを調整するために、前記主板（３１）と前記調整板（３２）との傾斜方向における重なりの長さが調整可能であることを特徴とする請求項３に記載の飼料供給装置。
【請求項５】
前記主板（３１）と前記調整板（３２）のうち、一方が傾斜方向に延在する所定の長さのスリット（３３）と具備すると共に、他方がボルト孔（３５）を具備し、かつ前記スリット（３３）と前記ボルト孔（３５）を挿通して固定されるボルト（３４）を具備することを特徴とする請求項４に記載の飼料供給装置。
【考案の詳細な説明】
【技術分野】
【０００１】
本考案は、飼料をコアレスオーガーを用いて搬送する搬送ラインへ供給するための飼料供給装置に関する。
【背景技術】
【０００２】
家畜用の飼料を多数の給餌器に分配搬送する搬送ライン、並びに、その搬送ラインへ飼料を供給する飼料供給装置が知られている（特許文献１、２等）。図４は、従来の飼料供給装置１００と搬送ライン２０の一例を概略的に示している。搬送ライン２０は、例えば、搬送パイプ２１とコアレスオーガー２２を用いて構成される。コアレスオーガー２２は、水平面内でのカーブや高低差に対応できる。コアレスオーガー２２は、基端部が軸受け２３により支持され、先端側に設置された駆動モータ（図示せず）により回転駆動される。飼料供給装置１００は、飼料を貯留するホッパー本体１１０を有し、ホッパー本体１１０の下部が一対の傾斜側壁によりテーパー状に形成されており、その底部にコアレスオーガー２２が配置されている。
【先行技術文献】
【特許文献】
【０００３】
【特許文献１】特開平８−１４３１２５号公報
【特許文献２】特開２００３−３２５０７０号公報
【考案の概要】
【考案が解決しようとする課題】
【０００４】
図４に示すように、コアレスオーガー２２を用いた搬送ライン２０が、飼料供給装置１００よりも高い位置に設置されることがある。コアレスオーガー２２が回転駆動されている時は飼料が搬送方向に送出される（矢印Ａ）が、コアレスオーガー２２の駆動を停止すると、搬送ライン２０内にある飼料が重力によって飼料供給装置１１０に逆流する（矢印Ｒ）現象が生じることがある。この現象は、飼料が搬送ライン２０内に全体的に充填されているときに起こりやすく、また流動性のある粒度の小さい飼料ほど起こりやすい。この現象が生じると、次にコアレスオーガー２２を駆動しようとすると飼料が詰まってしまい、回転不能すなわち搬送不能となることがしばしば起きる。
【０００５】
この問題点に鑑み、本考案は、搬送ラインから飼料供給装置への飼料の逆流を防止することができる飼料供給装置を提供することを目的とする。
【課題を解決するための手段】
【０００６】
上記の目的を達成するために、本考案は以下の構成を提供する。括弧内の数字は、後述する図面中の符号であり、参考のために付するものである。
・  本考案の態様は、飼料をコアレスオーガー（２２）を用いて搬送ラインへ供給するための飼料供給装置（１）において、
互いに対向しかつ下方に向かうにつれて距離が近づく一対の傾斜側壁（１１、１２）を底部に具備しかつ前記一対の傾斜側壁（１１、１２）の下縁同士の間に前記コアレスオーガー（２２）が延在するように配置されているホッパー本体（１０）と、
一方の前記傾斜側壁（１１）の上縁（１１ｂ）に上辺が固定されかつ他方の前記傾斜側壁（１２）の面に向かって斜め下方に延在する矩形の逆流防止板（３０）とを有することを特徴とする。
・  上記態様において、前記逆流防止板（３０）の下辺と他方の前記傾斜側壁（１２）との間に所定の間隙（ｄ）が設けられていることが、好適である。
・  上記態様において、前記逆流防止板（３０）が上辺側の主板（３１）と下辺側の調整板（３２）とから構成されかつ前記主板（３１）と前記調整板（３２）が傾斜方向において部分的に重なっていることが、好適である。
・  上記態様において、前記間隙（ｄ）の大きさを調整するために、前記主板（３１）と前記調整板（３２）との傾斜方向における重なりの長さが調整可能であることが、好適である。
・  上記態様において、前記主板（３１）と前記調整板（３２）のうち、一方が傾斜方向に延在する所定の長さのスリット（３３）と具備すると共に、他方がボルト孔（３５）を具備し、かつ前記スリット（３３）と前記ボルト孔（３５）を挿通して固定されるボルト（３４）を具備することが、好適である。
【考案の効果】
【０００７】
本考案によれば、コアレスオーガーを停止したときに、搬送ラインから飼料供給装置への飼料の逆流を防止することができ、飼料の詰まりを回避することができ、コアレスオーガーを円滑に稼動させることができる。
【図面の簡単な説明】
【０００８】
【図１】図１は、本考案による飼料供給装置の実施形態の一構成例を概略的に示す一部切欠き斜視図である。
【図２】図２は、図１のＩ−Ｉ断面を拡大して概略的に示した図である。
【図３】図３は、逆流防止板の（ａ）主板、（ｂ）調整板の平面図である。
【図４】図４は、従来の飼料供給装置と搬送ラインの一例を概略的に示している。
【考案を実施するための形態】
【０００９】
以下、例示である図面を参照して本考案の実施形態を説明する。
図１は、本考案による飼料供給装置の実施形態の一構成例を概略的に示す一部切欠き斜視図である。上述した図４と同じ構成要素には同じ符号を示している。図２は、図１のＩ−Ｉ断面を拡大して概略的に示した図である。
【００１０】
搬送ライン２０は、例えば樹脂製である搬送パイプ２１と、搬送パイプ２１内に挿通された例えばステンレス鋼製または鉄製のコアレスオーガー２２とを用いて構成される。コアレスオーガー２２は、軸がなく螺旋羽根のみの構造を有し、柔軟性があるので水平面内でのカーブや鉛直方向の高低差に対応できる。コアレスオーガー２２は、基端部が軸受け２３により支持され、先端側に設置された駆動モータ（図示せず）により回転駆動される。コアレスオーガー２２は、基端部から飼料供給装置１の底部を貫通し、飼料供給装置１の送出口から出て、目標の給餌器へと配設されている。図示するように、搬送ライン２０は、飼料供給装置１の送出口から例えば４５°〜７０°の勾配で上昇させられ、飼料供給装置１よりも高い位置に配設される場合がある。
【００１１】
飼料供給装置１は、飼料を貯留するホッパー本体１０を有し、ホッパー本体１０の下部は、一対の傾斜側壁１１、１２によりテーパー状に形成されている。傾斜側壁１１と傾斜側壁１２は互いに対向し、そして下方に向かうにつれて互いの距離が近づくように同じ角度で傾斜している。ホッパー本体１０の底部において、一対の傾斜側壁１１、１２の下縁１１ａ、１２ａ同士の間にコアレスオーガー２２が配置され、下縁１１ａ、１２ａに沿って延在している。ホッパー本体１０内では供給パイプ２１はなく、コアレスオーガー２２はむき出しである。図２に示すように、傾斜側壁１１、１２の下縁１１ａ、１２ａは、底壁１７により連結されている。
【００１２】
傾斜側壁１１、１２の上縁１１ｂ、１２ｂはそれぞれ鉛直側壁１３、１４に続いている。また、ホッパー本体１０におけるコアレスオーガー２２の送出側と基端側には、それぞれ鉛直な前壁１５と後壁１６が設けられている。ホッパー本体１０の上方部分の形状は任意である。
【００１３】
本考案のホッパー本体１０の内部には、逆流防止板３０が設けられている。逆流防止板３０は、略矩形の板として形成されている。逆流防止板３０の幅は、傾斜側壁１１、１２の幅と同じである。逆流防止板３０の上辺３０ａは、一方の傾斜側壁１１の上縁１１ｂに固定されており、他方の傾斜側壁１２に向かって斜め下方に所定の長さで延在している。図２に示すように、逆流防止版３０の下辺３０ｂと、他方の傾斜側壁１２との間に所定の間隙ｄが設けられている。また、逆流防止版３０の下面と、コアレスオーガー２２との間にも所定の間隙が設けられている。この構成により、間隙ｄの部分を除いて、一対の傾斜側壁１１、１２と逆流防止板３０とにより囲まれた一定の容積の空間Ｓが形成される。この空間Ｓにコアレスオーガー２２が位置する。
【００１４】
ホッパー本体１０の上方部分から落下してくる飼料（図示せず）は、間隙ｄを通って空間Ｓに入る。コアレスオーガー２２が回転駆動されると、飼料は搬送パイプ２１へと送出される。そして、コアレスオーガー２２が駆動停止されたとき、搬送ライン２０からホッパー本体１０に逆流しようとする飼料の圧力がかかった場合、逆流防止板３０があるために、飼料がこれを超えてホッパー本体１０の上方部分に逆流して戻ることが防止される。その結果、搬送パイプ２１内の飼料の詰まりが回避され、次の回転駆動を円滑に開始することができる。
【００１５】
図示の好適例では、逆流防止板３０が、上辺３０ａ側の主板３１と下辺３０ｂ側の調整板３２の２枚の矩形板から構成されている。主板３１と調整板３２は、同じ幅であり、傾斜方向において部分的に重なっている。
【００１６】
主板３１と調整板３２の傾斜方向における重なりの長さは調整可能である。これによって、逆流防止板３０の長さを調整でき、すなわち間隙ｄの大きさを調整できる。飼料の大きさに応じて間隙ｄを調整することにより、飼料が円滑に落下できるようにする。飼料が大きい場合は間隙ｄを大きくするが、間隙ｄが大きくなると逆流防止効果は低減するので、飼料の大きさ、形状および流動性等を考慮して適切な間隙ｄを設定するようにする。
【００１７】
図３は、逆流防止板の（ａ）主板、（ｂ）調整板の平面図である。主板３１と調整板３２の調整は、図示の例では、調整板３２に穿設した所定の長さの２つのスリット３３と、主板３１に穿設した２つのボルト孔３５と、これらのスリット３３およびボルト孔３５を挿通して固定されるボルト３４により行うことができる。スリット３３は、傾斜方向に所定の長さで設けられている。スリット３３の長さが調整可能な長さとなる。図２に示すように、一例としてボルト３４は蝶ナット３５により固定されている。別の例として、主板３１にスリット３３を、調整板３２にボルト孔３５を設けてもよい。
【００１８】
以上に述べた本考案の実施形態は一例を示したものであり、これら以外にも多様な変形形態が可能であり、それらについても本考案に含まれるものとする。
【符号の説明】
【００１９】
１  飼料供給装置
１０  ホッパー本体
１１、１２  傾斜側壁
１３、１４  鉛直側壁
１５  前壁
１６  後壁
１７  底壁
２０  搬送ライン
２１  搬送パイプ
２２  コアレスオーガー
２３  軸受け
３０  逆流防止板
３１  主板
３２  調整板
３３  スリット
３４  ボルト
３５  蝶ナット
【図１】
0003224144.tif 000003
【図２】
0003224144.tif 000004
【図３】
0003224144.tif 000005
【図４】
0003224144.tif 000006